(57)【要約】【課題】エンジン作動中のエンジン回転音を感知して着信拒否し、エンジンが非作動になるとき着信拒否を解除する携帯電話機を提供する。【解決手段】携帯電話機１０は、エンジン作動中の着信に対して「拒否する、または、拒否しない」をユーザにより設定する機能を備える。この設定が「拒否する」に設定されているとき、エンジン回転音感知装置７は、エンジン音を感知すると、エンジン音を感知した旨を制御装置１に送り、制御装置１は、着信の拒否を設定する。エンジン回転音感知装置７が、エンジン音の停止を感知すると、エンジン音の停止の旨を制御装置１に送り、制御装置１は、設定されていた着信の拒否を解除する。【選択図】      図３
2005033706.tif 000002
【特許請求の範囲】
【請求項１】
着信に対する応答を拒否するか否かの設定情報を記憶する第１設定記憶手段と、車両の作動中における着信に対する応答を拒否するか否かの設定情報を記憶する第２設定記憶手段と、車両の作動状態を感知し、感知した作動状態を後記制御手段に通知する感知手段と、前記第１設定記憶手段に記憶されている設定情報と前記第２設定手段に記憶されている設定情報と前記感知手段からの通知とに基づいて、着信に対する応答の拒否を設定する制御手段を有することを特徴とする携帯電話機。
【請求項２】
請求項１に記載の携帯電話機において、更に、
前記第２設定記憶手段に記憶する設定情報をユーザにより入力する入力手段を備え、
前記第２設定記憶手段は、前記入力手段から入力される設定情報を記憶することを特徴とする携帯電話機。
【請求項３】
請求項１に記載の携帯電話機において、更に、
前記第２設定記憶手段に記憶する設定情報をユーザにより入力する入力手段と、
前記第２設定記憶手段に記憶する設定情報を入力するようユーザに催促するアナウンスを出力するアナウンス出力手段とを備え、
前記第２設定記憶手段は、前記入力手段から入力される設定情報を記憶することを特徴とする携帯電話機。
【請求項４】
請求項１〜３のいずれか一項に記載の携帯電話機において、
前記第１設定記憶手段に、着信に対する応答を拒否しない旨の設定情報が記憶され、前記第２設定記憶手段に、車両の作動中における着信に対する応答を拒否する旨の設定情報が記憶されているとき、前記感知手段が、車両の作動を感知し、車両の作動を感知した旨を前記制御手段に通知し、前記制御手段は、この通知を受けて、前記第１設定記憶手段に、着信に対する応答を拒否する旨の設定情報を記憶し、着信に対する応答の拒否を設定することを特徴とする携帯電話機。
【請求項５】
請求項１〜３のいずれか一項に記載の携帯電話機において、
前記第１設定記憶手段に、着信に対する応答を拒否しない旨の設定情報が記憶され、前記第２設定記憶手段に、車両の作動中における着信に対する応答を拒否する旨の設定情報が記憶されているとき、前記感知手段が、車両の作動を感知し、車両の作動を感知した旨を前記制御手段に通知し、前記制御手段は、この通知を受けて、前記第１設定記憶手段に、着信に対する応答を拒否する旨の設定情報を記憶し、着信に対する応答の拒否を設定し、さらに、前記感知手段が、車両の作動の停止を感知し、車両の作動の停止の旨を前記制御手段に通知し、前記制御手段は、この通知を受けて、前記第１設定記憶手段に、着信に対する応答を拒否しない旨の設定情報を記憶し、設定されている着信の拒否を解除し、着信に対する応答を許可することを特徴とする携帯電話機。
【請求項６】
請求項１〜３のいずれか一項に記載の携帯電話機において、
前記第１設定記憶手段に、着信に対する応答を拒否しない旨の設定情報が記憶され、前記第２設定記憶手段に、車両の作動中における着信に対する応答を拒否する旨の設定情報が記憶されているとき、前記感知手段が、車両の作動を感知し、車両の作動を感知した旨を前記制御手段に通知し、前記制御手段は、この通知を受けて、前記第１設定記憶手段に、着信に対する応答を拒否する旨の設定情報を記憶し、着信に対する応答の拒否を設定し、さらに、前記入力手段から、車両の作動中における着信に対する応答を拒否しない旨の設定情報が入力されるとき、前記制御手段は、この設定情報を受けて、前記第１設定記憶手段に、着信に対する応答を拒否しない旨の設定情報を記憶し、設定されている着信に対する応答の拒否を解除して、着信に対する応答を許可することを特徴とする携帯電話機。
【請求項７】
請求項１〜３のいずれか一項に記載の携帯電話機において、
前記第１設定記憶手段に、着信に対する応答を拒否しない旨の設定情報が記憶され、前記第２設定記憶手段に、車両の作動中における着信に対する応答を拒否しない旨の設定情報が記憶されているとき、前記制御手段は、着信に対する応答を許可することを特徴とする携帯電話機。
【請求項８】
請求項１、４、５，６のいずれか一項に記載の携帯電話機において、前記感知手段は、車両のエンジンの回転によるエンジン回転音を感知することで、車両の作動を感知することを特徴とする携帯電話機。
【請求項９】
着信に対する応答を拒否するか否かの設定情報を記憶し、この設定情報を通知する第１設定記憶ステップと、
車両の作動中における着信に対する応答を拒否するか否かの設定情報をユーザにより入力する入力ステップと、
前記入力ステップにより入力される設定情報を記憶し、この設定情報を通知する第２設定記憶ステップと、
車両の作動状態を感知し、感知した作動状態を通知する感知ステップと、
前記第１設定記憶ステップによる設定情報と第２設定記憶ステップによる設定情報と前記感知ステップによる通知を受けて、着信に対する応答を制御する制御ステップを有することを特徴とする携帯電話機の着信制御方法。
【請求項１０】
請求項９に記載の携帯電話機の着信制御方法において、
前記制御ステップは、
前記第１設定記憶ステップにより通知される、着信に対する応答を拒否しない旨の設定情報を受け、前記第２設定記憶ステップにより通知される、車両の作動中における着信に対する応答を拒否する旨の設定情報を受け、そして、前記感知ステップにより通知される、車両の作動を感知した旨を受け、着信に対する応答の拒否を設定するステップを、さらに、有することを特徴とする携帯電話機の着信制御方法。
【請求項１１】
請求項９に記載の携帯電話機の着信制御方法において、
前記制御ステップは、
前記第１設定記憶ステップにより通知される、着信に対する応答を拒否しない旨の設定情報を受け、前記第２設定記憶ステップにより通知される、車両の作動中における着信に対する応答を拒否する旨の設定情報を受け、そして、前記感知ステップにより通知される、車両の作動を感知した旨を受け、着信に対する応答の拒否を設定するステップと、
着信に対する応答の拒否が設定されているとき、前記感知ステップにより通知される、車両の作動が停止した旨を受け、設定されている着信の拒否を解除し、着信に対する応答を許可するステップとを、さらに、有することを特徴とする携帯電話機の着信制御方法。
【請求項１２】
請求項９に記載の携帯電話機の着信制御方法において、
前記制御ステップは、
前記第１設定記憶ステップにより通知される、着信に対する応答を拒否しない旨の設定情報を受け、前記第２設定記憶ステップにより通知される、車両の作動中における着信に対する応答を拒否する旨の設定情報を受け、そして、前記感知ステップにより通知される、車両の作動を感知した旨を受け、着信に対する応答の拒否を設定するステップと、
着信に対する応答の拒否が設定されているとき、前記入力ステップにより、車両の作動中における着信に対する応答を拒否しない旨の設定情報が入力されると、この設定情報を受けて、設定されている着信に対する応答の拒否を解除して、着信に対する応答を許可するステップとを、さらに、有することを特徴とする携帯電話機の着信制御方法。
【発明の詳細な説明】
【技術分野】
【０００１】
本発明は、携帯電話機に関し、特に、車両の作動を感知して着信を制御する携帯電話機とその着信制御方法に関する。
【背景技術】
【０００２】
近年、自動車運転中における、携帯電話機の使用による交通事故が多発しており、自動車運転中における携帯電話機の使用に関する問題について政府も法的罰則をとるなどして対応しているが、依然として携帯電話機の使用時における交通事故は後を絶たない。
【０００３】
従来の携帯電話機は、ユーザが運転を開始するときユーザからの操作により、自動車走行中における着信を拒否する機能を設定（以降、着信拒否設定）するよう構成されている（例えば、特許文献１）。
【０００４】
【特許文献１】特開平１１−２８５０７０号公報
【発明の開示】
【発明が解決しようとする課題】
【０００５】
しかし、特開平１１−２８５０７０号公報の携帯電話機では、着信拒否設定をユーザの操作により行うため、ユーザが、運転開始時に、着信拒否設定をしないまま自動車を走行させてしまうケースが多いのが現状である。
【０００６】
着信拒否設定をしないまま自動車を走行させてしまう原因の１つには、ユーザが、運転時に着信拒否設定しても、運転が終わった後に着信拒否設定を解除するのを忘れてしまい、運転中でないにも拘わらず着信が拒否され続けてしまう問題が発生することも挙げられる。
【０００７】
本発明の目的は、エンジン作動中のエンジン回転音を感知して着信を自動的に拒否する携帯電話機を提供することにある。
【０００８】
本発明の他の目的は、エンジンが非作動になるとき、着信拒否を自動的に解除する携帯電話機を提供することにある。
【課題を解決するための手段】
【０００９】
本発明の携帯電話機は、着信に対する応答を拒否するか否かの設定情報を記憶する第１設定記憶手段と、車両の作動中における着信に対する応答を拒否するか否かの設定情報を記憶する第２設定記憶手段と、車両の作動状態を感知し、感知した作動状態を後記制御手段に通知する感知手段と、前記第１設定記憶手段に記憶されている設定情報と前記第２設定手段に記憶されている設定情報と前記感知手段からの通知とに基づいて、着信に対する応答の拒否を設定する制御手段を有することを特徴とする。
【００１０】
また、本発明の携帯電話機は、更に、前記第２設定記憶手段に記憶する設定情報をユーザにより入力する入力手段を備え、前記第２設定記憶手段は、前記入力手段から入力される設定情報を記憶することを特徴とする。
【００１１】
さらに、本発明の携帯電話機は、更に、前記第２設定記憶手段に記憶する設定情報をユーザにより入力する入力手段と、前記第２設定記憶手段に記憶する設定情報を入力するようユーザに催促するアナウンスを出力するアナウンス出力手段とを備え、前記第２設定記憶手段は、前記入力手段から入力される設定情報を記憶することを特徴とする。
【００１２】
また、本発明の携帯電話機は、前記第１設定記憶手段に、着信に対する応答を拒否しない旨の設定情報が記憶され、前記第２設定記憶手段に、車両の作動中における着信に対する応答を拒否する旨の設定情報が記憶されているとき、前記感知手段が、車両の作動を感知し、車両の作動を感知した旨を前記制御手段に通知し、前記制御手段は、この通知を受けて、前記第１設定記憶手段に、着信に対する応答を拒否する旨の設定情報を記憶し、着信に対する応答の拒否を設定することを特徴とする。
【００１３】
さらに、本発明の携帯電話機は、前記第１設定記憶手段に、着信に対する応答を拒否しない旨の設定情報が記憶され、前記第２設定記憶手段に、車両の作動中における着信に対する応答を拒否する旨の設定情報が記憶されているとき、前記感知手段が、車両の作動を感知し、車両の作動を感知した旨を前記制御手段に通知し、前記制御手段は、この通知を受けて、前記第１設定記憶手段に、着信に対する応答を拒否する旨の設定情報を記憶し、着信に対する応答の拒否を設定し、さらに、前記感知手段が、車両の作動の停止を感知し、車両の作動の停止の旨を前記制御手段に通知し、前記制御手段は、この通知を受けて、前記第１設定記憶手段に、着信に対する応答を拒否しない旨の設定情報を記憶し、設定されている着信の拒否を解除し、着信に対する応答を許可することを特徴とする。
【００１４】
また、本発明の携帯電話機は、前記第１設定記憶手段に、着信に対する応答を拒否しない旨の設定情報が記憶され、前記第２設定記憶手段に、車両の作動中における着信に対する応答を拒否する旨の設定情報が記憶されているとき、前記感知手段が、車両の作動を感知し、車両の作動を感知した旨を前記制御手段に通知し、前記制御手段は、この通知を受けて、前記第１設定記憶手段に、着信に対する応答を拒否する旨の設定情報を記憶し、着信に対する応答の拒否を設定し、さらに、前記入力手段から、車両の作動中における着信に対する応答を拒否しない旨の設定情報が入力されるとき、前記制御手段は、この設定情報を受けて、前記第１設定記憶手段に、着信に対する応答を拒否しない旨の設定情報を記憶し、設定されている着信に対する応答の拒否を解除して、着信に対する応答を許可することを特徴とする。
【００１５】
さらに、本発明の携帯電話機は、前記第１設定記憶手段に、着信に対する応答を拒否しない旨の設定情報が記憶され、前記第２設定記憶手段に、車両の作動中における着信に対する応答を拒否しない旨の設定情報が記憶されているとき、前記制御手段は、着信に対する応答を許可することを特徴とする。
【００１６】
また、本発明の携帯電話機は、前記感知手段が、車両のエンジンの回転によるエンジン回転音を感知することで、車両の作動を感知することを特徴とする。
【００１７】
さらに、本発明の携帯電話機の着信制御方法は、着信に対する応答を拒否するか否かの設定情報を記憶し、この設定情報を通知する第１設定記憶ステップと、車両の作動中における着信に対する応答を拒否するか否かの設定情報をユーザにより入力する入力ステップと、前記入力ステップにより入力される設定情報を記憶し、この設定情報を通知する第２設定記憶ステップと、車両の作動状態を感知し、感知した作動状態を通知する感知ステップと、前記第１設定記憶ステップによる設定情報と第２設定記憶ステップによる設定情報と前記感知ステップによる通知を受けて、着信に対する応答を制御する制御ステップを有することを特徴とする。
【００１８】
また、本発明の携帯電話機の着信制御方法は、前記制御ステップが、前記第１設定記憶ステップにより通知される、着信に対する応答を拒否しない旨の設定情報を受け、前記第２設定記憶ステップにより通知される、車両の作動中における着信に対する応答を拒否する旨の設定情報を受け、そして、前記感知ステップにより通知される、車両の作動を感知した旨を受け、着信に対する応答の拒否を設定するステップを、さらに、有することを特徴とする。
【００１９】
さらに、本発明の携帯電話機の着信制御方法は、前記制御ステップが、前記第１設定記憶ステップにより通知される、着信に対する応答を拒否しない旨の設定情報を受け、前記第２設定記憶ステップにより通知される、車両の作動中における着信に対する応答を拒否する旨の設定情報を受け、そして、前記感知ステップにより通知される、車両の作動を感知した旨を受け、着信に対する応答の拒否を設定するステップと、着信に対する応答の拒否が設定されているとき、前記感知ステップにより通知される、車両の作動が停止した旨を受け、設定されている着信の拒否を解除し、着信に対する応答を許可するステップとを、さらに、有することを特徴とする。
【００２０】
また、本発明の携帯電話機の着信制御方法は、前記制御ステップが、前記第１設定記憶ステップにより通知される、着信に対する応答を拒否しない旨の設定情報を受け、前記第２設定記憶ステップにより通知される、車両の作動中における着信に対する応答を拒否する旨の設定情報を受け、そして、前記感知ステップにより通知される、車両の作動を感知した旨を受け、着信に対する応答の拒否を設定するステップと、着信に対する応答の拒否が設定されているとき、前記入力ステップにより、車両の作動中における着信に対する応答を拒否しない旨の設定情報が入力されると、この設定情報を受けて、設定されている着信に対する応答の拒否を解除して、着信に対する応答を許可するステップとを、さらに、有することを特徴とする。
【発明の効果】
【００２１】
本発明の第一の効果として、エンジン作動時、ユーザ操作を行わずに自動的に着信拒否設定になるため、運転時に着信拒否設定を忘れずに行うことが可能であるという効果が有る。
【００２２】
本発明の第二の効果として、エンジン停止時に自動的に着信拒否設定を解除するため、自動車運転をやめた際に着信拒否設定を忘れずに解除することが可能である効果が有る。
【発明を実施するための最良の形態】
【００２３】
本発明の実施の形態について図面を参照して詳細に説明する。
図１は、自動車のエンジンが非作動中であるとき、着信があった場合の本発明の携帯電話機の動作の原理を示す図で、図２は、自動車のエンジンが作動中であるとき、着信があった場合の本発明の携帯電話機の動作の原理を示す図で、図３は、本発明の第１実施形態による携帯電話機の構成ブロック図である。
【００２４】
本発明の携帯電話機１０は、エンジンを搭載する自動車のような車両において、エンジンが作動している最中に、エンジンの回転運動により生じるエンジン回転音を感知し、着信に対して自動的に応答拒否する機能を有する。
【００２５】
本発明の携帯電話機１０は、エンジン作動中における着信に対して「拒否する、または、拒否しない」をユーザにより設定（以降、エンジン作動中着信自動拒否設定）する機能を備え、ユーザがエンジン作動中着信自動拒否設定を「拒否する」に設定することにより、エンジン作動中の着信を拒否し、一方、ユーザがエンジン作動中着信自動拒否設定を「拒否しない」に設定することにより、エンジン作動中の着信を拒否しない機能を有する。
【００２６】
本発明の携帯電話機１０は、エンジンが停止するとき、自動的に、着信拒否の設定を解除する機能を有する。
【００２７】
例えば、図１に示すように、自動車のエンジン非作動中において、携帯電話機１０は、エンジン回転音を感知しないため、エンジン作動中ではないと判断する。このとき、着信があると、携帯電話機１０は、着信に対して利用者に応答可能であることを通知するために、その着信を、着信音を鳴動して利用者に通知する。一方、図２に示すように、自動車のエンジン作動中において、携帯電話機１０は、エンジン回転音を感知し、エンジン作動中であると判断する。このとき、着信があると、携帯電話機１０は、エンジン作動中着信自動拒否設定が「拒否する」に設定されているとき、着信に対して応答拒否をすることにより、その着信をユーザに通知しない。
【００２８】
図３を参照して、携帯電話機１０は、図１及び図２に示された携帯電話機に対応し、制御装置１と、記憶装置２と、送受信装置３と、入力装置４と、エンジン回転音感知装置７と、携帯電話機１０の動作を実行させるプログラムを記憶するプログラム記憶部８と、通知部１３とを有して構成される。
【００２９】
記憶装置２は、着信拒否設定記憶部２１とエンジン作動中着信自動拒否設定記憶部２２とを有する。
【００３０】
着信拒否設定記憶部２１は、携帯電話機１０への着信を拒否するか否かを示す着信拒否設定情報を記憶する。たとえば、着信を拒否する場合、「着信拒否設定＝有り」を示す着信拒否設定情報を記憶し、着信を拒否しない場合、「着信拒否設定＝無し」を示す着信拒否設定情報を記憶する。
【００３１】
エンジン作動中着信自動拒否設定記憶部２２は、ユーザにより設定されるエンジン作動中着信自動拒否設定情報を記憶する機能を有する。たとえば、エンジン作動中着信自動拒否設定記憶部２２は、ユーザがエンジン作動中において着信を拒否したいとき、ユーザからの設定により、「エンジン作動中着信自動拒否設定＝拒否する」を示すエンジン作動中着信自動拒否設定情報を記憶し、ユーザがエンジン作動中において着信を拒否したくないとき、ユーザからの設定により、「エンジン作動中着信自動拒否設定＝拒否しない」を示すエンジン作動中着信自動拒否設定情報を記憶する機能を有する。
【００３２】
送受信装置３は、アンテナを有し、通信のための無線信号を送受信する機能を有する。
【００３３】
入力装置４は、ユーザが音声を入力する送話部と、ユーザが携帯電話機１０への各種の指示と、エンジン作動中着信自動拒否設定を含む各種の設定を入力するキー操作入力部とを有して構成される。
【００３４】
通知部１３は、表示装置５と音出力装置６とを有して構成される。
【００３５】
表示装置５は、文字と画像を表示する表示部を有する。
【００３６】
音出力装置６は、音声を受話する受話部と、警告音を鳴動するサウンダを有する。
【００３７】
エンジン回転音感知装置７は、エンジン回転音を感知し、エンジン回転音を感知した旨を制御装置１に通知する機能を有する。
【００３８】
制御装置１は、着信拒否設定記憶部２１とエンジン作動中着信自動拒否設定記憶部２２に記憶されている設定情報により、携帯電話機１０に着信拒否設定とエンジン作動中着信自動拒否設定を行う機能と、そして、プログラム記憶部８に記憶されているプログラムと着信拒否設定とエンジン作動中着信自動拒否設定に基づいて、記憶装置２と送受信装置３と入力装置４とエンジン回転音感知装置７と通知部１３を制御する機能を有する。
【００３９】
次に、本発明の実施形態の動作について図面を参照して詳細に説明する。
【００４０】
図４は、エンジン作動開始時における携帯電話機の動作を示すフローチャートで、図５は、携帯電話に着信があった場合の携帯電話機の動作を示すフローチャートで、図６は、エンジン停止時における携帯電話機の動作を示すフローチャートである。
【００４１】
エンジン作動開始時における携帯電話機の動作を説明する。
【００４２】
図３を参照して、記憶装置２の着信拒否設定記憶部２１には、着信拒否設定の初期設定値として、「着信拒否設定＝無し」を示す着信拒否設定情報が、予め、記憶されている。また、記憶装置２のエンジン作動中着信自動拒否設定記憶部２２には、ユーザからのエンジン作動中着信自動拒否設定情報が、予め、記憶されている。
【００４３】
図４を参照して、制御装置１は、着信拒否設定記憶部２１の「着信拒否設定＝無し」を認識し、初期設定として、携帯電話機１０を着信が可能な状態に設定しておく（ステップＳ１）。
【００４４】
さらに、制御装置１は、エンジン作動中着信自動拒否設定記憶部２２から、エンジン作動中着信自動拒否設定情報を読み出し、エンジン作動中着信自動拒否設定がどのように設定されているかを判定する（ステップＳ２）。
【００４５】
判定の結果、エンジン作動中着信自動拒否設定が「拒否する」に設定されている場合（ステップＳ２で拒否する）、制御装置１は、エンジン回転音感知装置７を動作状態に設定する。
【００４６】
エンジンが作動を開始すると、エンジン回転音感知装置７は、作動中のエンジンからのエンジン音を感知し（ステップＳ３）、エンジン音を感知した旨の通知を制御装置１に送る。
【００４７】
制御装置１は、この通知を受けて、着信拒否設定記憶部２１に、「着信拒否設定＝有り」を示す着信拒否設定情報を記憶する（ステップＳ４）。
【００４８】
一方、判定の結果、エンジン作動中着信自動拒否設定が「拒否しない」に設定されている場合（ステップＳ２で拒否しない）、制御装置１は、エンジン回転音感知装置７を動作しないよう制御する。
【００４９】
これにより、エンジン回転音感知装置７は、エンジン音を感知しなく、何の情報も制御装置１に送らない。
【００５０】
制御装置１は、エンジン回転音感知装置７から、何の情報も受けないので、着信拒否設定記憶部２１の着信拒否設定情報を変更しないで、初期値の「着信拒否設定＝無し」を維持する（ステップＳ５）。
【００５１】
次に、携帯電話機に着信がある場合の動作を説明する。
【００５２】
図５を参照して、携帯電話機１０の制御装置１は、着信を検出すると（ステップＳ５）、着信拒否設定記憶部２１に記憶されている着信拒否設定情報を参照し、着信拒否設定がどのように設定されているかを判定する（ステップＳ６）。
判定の結果、「着信拒否設定＝無し」の場合（ステップＳ６で着信拒否設定＝無し）、制御装置１は、着信可能と判断し、音出力装置６のサウンダに着信音を鳴動する（ステップＳ７）よう制御し、表示装置５の表示部に着信した旨を表示する（ステップＳ８）よう制御し、そして、着信履歴記憶部２３に、着信履歴として、発信者の電話番号を着信履歴として記憶する（ステップＳ９）。
【００５３】
この制御により、音出力装置６のサウンダは、着信音を鳴動し（ステップＳ７）、表示装置５の表示部は、着信した旨を表示する（ステップＳ８）。
【００５４】
この後、ユーザが着信に対しキー操作入力部から応答すると（ステップＳ１０）、制御装置１は、この着信応答を受け、通話に移行する（ステップＳ１１）よう制御する。
【００５５】
一方、ステップＳ６における判定の結果、「着信拒否設定＝有り」の場合（ステップＳ６で着信拒否設定＝有り）、制御装置１は、着信不可能と判断し、着信履歴記憶部２３に、着信履歴として、発信者の電話番号を記憶するよう制御する。
【００５６】
この制御により、着信履歴記憶部２３は、発信者の電話番号を着信履歴として記憶する（ステップＳ１２）。
【００５７】
次に、エンジン停止時における携帯電話機の動作を説明する。
【００５８】
図６を参照して、エンジンが停止され、エンジン回転音感知装置７は、エンジン回転音の停止を感知すると（ステップＳ１４）、エンジン音が停止した旨の通知を制御装置１に送る。
【００５９】
制御装置１は、この通知を受け、着信拒否設定記憶部２１に、「着信拒否設定＝無し」を示す着信拒否設定情報を記憶し（ステップＳ１５）、着信拒否を解除し、携帯電話機１０を、いつでも着信可能な状態に戻す。
【００６０】
本発明の第２実施形態を説明する。
【００６１】
図７は、本発明の第２実施形態による携帯電話機の構成ブロック図である。
【００６２】
図８は、第２実施形態による携帯電話機の動作を示すフローチャートである。
【００６３】
自動車の運転者と同乗者の各々が、第１実施形態による携帯電話を所持していると、同乗者の携帯電話も自動的に着信拒否機能が作動するので、同乗者へのサービスが劣化するという問題がある。この問題を解決するのが、第２実施形態による携帯電話機１０−１である。第２実施形態では、エンジン作動開始時における動作が、さらに、工夫されている。
【００６４】
携帯電話機１０−１は、制御装置１と、記憶装置２と、送受信装置３と、入力装置４と、エンジン回転音感知装置７と、携帯電話機１０の動作を実行させるプログラムを記憶するプログラム記憶部８１と、通知部１３とを有して構成される。
【００６５】
プログラム記憶部８１が、第１実施形態による携帯電話機１０のプログラム記憶部８と異なり、その他の構成部は、第１実施形態による携帯電話機１０を構成する構成部と同じで、第１実施形態による携帯電話機１０を構成する構成部の符号と同一な符号が付与されている。
【００６６】
プログラム記憶部８１は、第１実施形態による携帯電話機１０とは異なる、エンジン作動開始時における動作のプログラムを記憶している。
【００６７】
図７と図８を参照して、制御装置１は、着信拒否設定記憶部２１の「着信拒否設定＝無し」を認識し、初期設定として、携帯電話機１０−１を着信が可能な状態に設定しておく（ステップＳ２１）。
【００６８】
さらに、制御装置１は、エンジン作動中着信自動拒否設定記憶部２２から、エンジン作動中着信自動拒否設定情報を読み出し、エンジン作動中着信自動拒否設定がどのように設定されているかを判定する（ステップＳ２２）。
【００６９】
判定の結果、エンジン作動中着信自動拒否設定が「拒否する」に設定されている場合（ステップＳ２２で拒否する）、制御装置１は、エンジン回転音感知装置７を動作状態に設定する。
【００７０】
エンジンが作動を開始すると、エンジン回転音感知装置７は、作動中のエンジンからのエンジン音を感知し（ステップＳ２３）、エンジン音を感知した旨の通知を制御装置１に送る。
【００７１】
制御装置１は、この通知を受けて、着信拒否設定記憶部２１に、「着信拒否設定＝有り」を記憶し（ステップＳ２４）、音出力装置６から警告音を鳴動し（ステップＳ２５）、そして、通知部１３から、「エンジンが作動しました。エンジン作動中は着信を拒否しますか？着信を拒否しない場合はどれかキーを押してください」などのアナウンスを通知部１３からユーザに通知する（ステップＳ２６）。
【００７２】
次に、制御装置１は、ユーザからキー押下による入力があるかを調べ（ステップＳ２７）、キー押下による入力があるとき（ステップＳ２７でハイ）、着信拒否設定記憶部２１に「着信拒否設定＝無し」を記憶して（ステップＳ２８）、携帯電話機１０−１を着信可能な状態にする（ステップＳ２９）。
【００７３】
一方、キー押下による入力がないとき（ステップＳ２７でイイエ）、制御装置１は、着信拒否設定記憶部２１に記憶されている「着信拒否設定＝有り」を、そのまま、維持し、以降の着信を拒否する（ステップＳ３０）。
【図面の簡単な説明】
【００７４】
【図１】図１は、自動車のエンジンが非作動中であるとき、着信があった場合の携帯電話機の動作の原理を示す図である。
【図２】自動車のエンジンが作動中であるとき、着信があった場合の携帯電話機の動作の原理を示す図である。
【図３】本発明の第１実施形態による携帯電話機の構成ブロック図である。
【図４】エンジン作動開始時における携帯電話機の動作を示すフローチャートである。
【図５】着信があった場合の携帯電話機の動作を示すフローチャートである。
【図６】エンジン停止時における携帯電話機の動作を示すフローチャートである。
【図７】本発明の第２実施形態による携帯電話機の構成ブロック図である。
【図８】第２実施形態による携帯電話機の動作を示すフローチャートである。
【符号の説明】
【００７５】
１    制御装置
２    記憶装置
３    送受信装置
４    入力装置
５    表示装置
６    音出力装置
７    エンジン回転音感知装置
８、８１    プログラム記憶部
１０    携帯電話機
【図１】
2005033706.tif 000003
【図２】
2005033706.tif 000004
【図３】
2005033706.tif 000005
【図４】
2005033706.tif 000006
【図５】
2005033706.tif 000007
【図６】
2005033706.tif 000008
【図７】
2005033706.tif 000009
【図８】
2005033706.tif 000010